(57)【要約】【課　題】庫内を適切に冷却するとともに、床暖房を効率よく行うことができる冷蔵庫を提供する。【解決手段】冷蔵庫（１）は、冷媒を圧縮するコンプレッサ（１６）、このコンプレッサで圧縮されて高温・高圧となったガス状冷媒が送風機（１８）で空冷されて液化する凝縮器（１７）、減圧装置（２２）および、冷媒が蒸発して庫内を冷却する蒸発器（２３）を順次冷媒配管（２１）で環状に接続してコンプレッサに戻る冷凍サイクルと、前記冷凍サイクルの高圧側に設けられ冷媒の熱を二次冷媒へ熱交換させる熱交換器（２６）と、床暖房用パネル（３１）と、前記二次冷媒を熱交換器から床暖房用パネルを通して再び熱交換器へ循環させる二次冷媒用ポンプ（３７）と、前記床暖房用パネルまたは熱交換器の少なくとも一方に設けられる蓄熱材（３４）とを備えている。【選択図】　図１
2004085101.tif 000002
【特許請求の範囲】
【請求項１】
冷媒を圧縮するコンプレッサ、このコンプレッサで圧縮されて高温・高圧となったガス状冷媒が送風機で空冷されて液化する凝縮器、減圧装置および、冷媒が蒸発して庫内を冷却する蒸発器を順次冷媒配管で環状に接続してコンプレッサに戻る冷凍サイクルと、
前記冷凍サイクルの高圧側に設けられ冷媒の熱を二次冷媒へ熱交換させる熱交換器と、
床暖房用パネルと、
前記二次冷媒を熱交換器から床暖房用パネルを通して再び熱交換器へ循環させる二次冷媒用ポンプと、
前記床暖房用パネルまたは熱交換器の少なくとも一方に設けられる蓄熱材とを備えている冷蔵庫。
【請求項２】
前記コンプレッサの停止後、設定停止時間を経過しても、コンプレッサが再び稼働しない際には、前記二次冷媒用ポンプを設定加熱時間の間稼働させる手段を具備している制御装置を備えていることを特徴とする請求項１記載の冷蔵庫。
【請求項３】
冷媒を圧縮するコンプレッサ、このコンプレッサで圧縮されて高温・高圧となったガス状冷媒が送風機で空冷されて液化する凝縮器、減圧装置および、冷媒が蒸発して庫内を冷却する蒸発器を順次冷媒配管で環状に接続してコンプレッサに戻る冷凍サイクルと、
前記冷凍サイクルの高圧側に設けられ冷媒の熱を二次冷媒へ熱交換させる熱交換器と、
床暖房用パネルと、
前記二次冷媒を熱交換器から床暖房用パネルを通して再び熱交換器へ循環させる二次冷媒用ポンプと、
前記蒸発器の冷媒の冷熱を蓄冷する蓄冷材とを備えている冷蔵庫。
【請求項４】
前記二次冷媒用ポンプおよびコンプレッサを設定時間間隔で略連動して稼働させる手段を具備している制御装置を備えていることを特徴とする請求項３記載の冷蔵庫。
【請求項５】
冷媒を圧縮するコンプレッサ、このコンプレッサで圧縮されて高温・高圧となったガス状冷媒が送風機で空冷されて液化する凝縮器、減圧装置および、冷媒が蒸発して庫内を冷却する蒸発器を順次冷媒配管で環状に接続してコンプレッサに戻る冷凍サイクルと、
前記冷凍サイクルの高圧側に設けられ冷媒の熱を二次冷媒へ熱交換させる熱交換器と、
床暖房用パネルと、
前記二次冷媒を移送する二次冷媒用ポンプと、
前記二次冷媒の熱を貯蔵する蓄熱タンクと、
前記二次冷媒を二次冷媒用ポンプから熱交換器および床暖房用パネルを順次介して再び二次冷媒用ポンプに戻す通常運転用回路と、
前記二次冷媒を二次冷媒用ポンプから熱交換器および蓄熱タンクを順次介して再び二次冷媒用ポンプに戻す蓄熱用回路と、
前記二次冷媒を二次冷媒用ポンプから蓄熱タンクおよび床暖房用パネルを順次介して再び二次冷媒用ポンプに戻す放熱用回路と、
前記通常運転用回路、蓄熱用回路および放熱用回路を選択的に切り換える切換手段とを備えている冷蔵庫。
【請求項６】
冷媒を圧縮するコンプレッサ、このコンプレッサで圧縮されて高温・高圧となったガス状冷媒が送風機で空冷されて液化する凝縮器、減圧装置および、冷媒が蒸発して庫内を冷却する蒸発器を順次冷媒配管で環状に接続してコンプレッサに戻る冷凍サイクルと、
前記冷凍サイクルの高圧側に設けられ冷媒の熱を二次冷媒へ熱交換させる熱交換器と、
床暖房用パネルと、
前記二次冷媒を移送する二次冷媒用ポンプと、
前記二次冷媒の熱を貯蔵する蓄熱タンクと、
前記二次冷媒を二次冷媒用ポンプから熱交換器および床暖房用パネルを順次介して再び二次冷媒用ポンプに戻す通常運転用回路と、
この通常運転用回路の二次冷媒用ポンプと熱交換器との間の管路から蓄熱タンクへ第１三方弁を介して分岐する第１分岐路と、
前記通常運転用回路の熱交換器と床暖房用パネルとの間の管路から蓄熱タンクへ第２三方弁を介して分岐する第２分岐路と、
前記通常運転用回路の床暖房用パネルと二次冷媒用ポンプとの間の管路から蓄熱タンクへ第３三方弁を介して分岐する第３分岐路とを備えている冷蔵庫。
【請求項７】
前記冷媒が二酸化炭素であることを特徴とする請求項１ないし６の何れか１項記載の冷蔵庫。
【請求項８】
冷蔵庫の設置されている部屋の室温を検出する室温センサ、および、二次冷媒用ポンプを制御する制御装置が設けられ、
前記制御装置は、室温センサの検出温度が床暖房停止室温以上になると、二次冷媒用ポンプを停止させる手段を具備していることを特徴とする請求項１ないし７の何れか１項記載の冷蔵庫。
【発明の詳細な説明】
【０００１】
【発明の属する技術分野】
本発明は、台所などに設置される家庭用などの冷蔵庫に関する。
【０００２】
【従来の技術】
従来の冷蔵庫は、庫内の貯蔵物を冷却して冷蔵や冷凍している。そして、冷凍サイクル中の凝縮器からの放熱は、温かい空気となって排出されている。また、台所には、冬場などの寒い日に足元を温める床暖房用パネルが敷かれることがある。この床暖房用パネルは一般的に電気ヒータで加熱される。
【０００３】
【発明が解決しようとする課題】
ところで、床暖房用パネルを電気ヒータで加熱すると、電気の消費量が多く、ランニングコストが増大する。また、従来の冷蔵庫の凝縮器からの温かい空気では、足元を温めることはできない。
そこで、冷蔵庫の凝縮器からの廃熱を、床暖房用パネルの加熱に有効利用することを検討した。そして、凝縮器の温かい冷媒を二次冷媒であるブラインと熱交換して、ブラインを温め、この温かいブラインを床暖房用パネルに流す冷蔵庫の開発を行っている。
【０００４】
しかしながら、この様な冷蔵庫において、冷蔵庫の庫内が所望の温度となるように冷凍サイクルを稼働すると、床暖房が不十分になることがある。一方、床暖房に合わせて、冷凍サイクルを稼働すると、冷蔵庫の庫内が冷えすぎる現象が発生することがある。
【０００５】
本発明は、以上のような課題を解決するためのもので、庫内を適切に冷却するとともに、床暖房を効率よく行うことができる冷蔵庫を提供することを目的としている。
【０００６】
【課題を解決するための手段】
本発明の請求項１記載の冷蔵庫（１）は、冷媒を圧縮するコンプレッサ（１６）、このコンプレッサで圧縮されて高温・高圧となったガス状冷媒が送風機（１８）で空冷されて液化する凝縮器（１７）、減圧装置（２２）および、冷媒が蒸発して庫内を冷却する蒸発器（２３）を順次冷媒配管（２１）で環状に接続してコンプレッサに戻る冷凍サイクルと、前記冷凍サイクルの高圧側に設けられ冷媒の熱を二次冷媒へ熱交換させる熱交換器（２６）と、床暖房用パネル（３１）と、前記二次冷媒を熱交換器から床暖房用パネルを通して再び熱交換器へ循環させる二次冷媒用ポンプ（３７）と、前記床暖房用パネルまたは熱交換器の少なくとも一方に設けられる蓄熱材（３４）とを備えている。
【０００７】
本発明の請求項２記載の冷蔵庫は、請求項１記載の冷蔵庫において、前記コンプレッサの停止後、設定停止時間を経過しても、コンプレッサが再び稼働しない際には、前記二次冷媒用ポンプを設定加熱時間の間稼働させる手段を具備している制御装置（５１）を備えていることを特徴とする。
【０００８】
本発明の請求項３記載の冷蔵庫は、冷媒を圧縮するコンプレッサ、このコンプレッサで圧縮されて高温・高圧となったガス状冷媒が送風機で空冷されて液化する凝縮器、減圧装置および、冷媒が蒸発して庫内を冷却する蒸発器を順次冷媒配管で環状に接続してコンプレッサに戻る冷凍サイクルと、前記冷凍サイクルの高圧側に設けられ冷媒の熱を二次冷媒へ熱交換させる熱交換器と、床暖房用パネルと、前記二次冷媒を熱交換器から床暖房用パネルを通して再び熱交換器へ循環させる二次冷媒用ポンプと、前記蒸発器の冷媒の冷熱を蓄冷する蓄冷材（６１）とを備えている。
【０００９】
本発明の請求項４記載の冷蔵庫は、請求項３記載の冷蔵庫において、前記二次冷媒用ポンプおよびコンプレッサを設定時間間隔で略連動して稼働させる手段を具備している制御装置を備えていることを特徴とする。
【００１０】
本発明の請求項５記載の冷蔵庫は、冷媒を圧縮するコンプレッサ、このコンプレッサで圧縮されて高温・高圧となったガス状冷媒が送風機で空冷されて液化する凝縮器、減圧装置および、冷媒が蒸発して庫内を冷却する蒸発器を順次冷媒配管で環状に接続してコンプレッサに戻る冷凍サイクルと、前記冷凍サイクルの高圧側に設けられ冷媒の熱を二次冷媒へ熱交換させる熱交換器と、床暖房用パネルと、前記二次冷媒を移送する二次冷媒用ポンプと、前記二次冷媒の熱を貯蔵する蓄熱タンク（７１）と、前記二次冷媒を二次冷媒用ポンプから熱交換器および床暖房用パネルを順次介して再び二次冷媒用ポンプに戻す通常運転用回路と、前記二次冷媒を二次冷媒用ポンプから熱交換器および蓄熱タンクを順次介して再び二次冷媒用ポンプに戻す蓄熱用回路と、前記二次冷媒を二次冷媒用ポンプから蓄熱タンクおよび床暖房用パネルを順次介して再び二次冷媒用ポンプに戻す放熱用回路と、前記通常運転用回路、蓄熱用回路および放熱用回路を選択的に切り換える切換手段（７２〜７４）とを備えている。
【００１１】
本発明の請求項６記載の冷蔵庫は、冷媒を圧縮するコンプレッサ、このコンプレッサで圧縮されて高温・高圧となったガス状冷媒が送風機で空冷されて液化する凝縮器、減圧装置および、冷媒が蒸発して庫内を冷却する蒸発器を順次冷媒配管で環状に接続してコンプレッサに戻る冷凍サイクルと、前記冷凍サイクルの高圧側に設けられ冷媒の熱を二次冷媒へ熱交換させる熱交換器と、床暖房用パネルと、前記二次冷媒を移送する二次冷媒用ポンプと、前記二次冷媒の熱を貯蔵する蓄熱タンクと、前記二次冷媒を二次冷媒用ポンプから熱交換器および床暖房用パネルを順次介して再び二次冷媒用ポンプに戻す通常運転用回路と、この通常運転用回路の二次冷媒用ポンプと熱交換器との間の管路から蓄熱タンクへ第１三方弁（７２）を介して分岐する第１分岐路（７６）と、前記通常運転用回路の熱交換器と床暖房用パネルとの間の管路から蓄熱タンクへ第２三方弁（７３）を介して分岐する第２分岐路（７７）と、前記通常運転用回路の床暖房用パネルと二次冷媒用ポンプとの間の管路から蓄熱タンクへ第３三方弁（７４）を介して分岐する第３分岐路（７８）とを備えている。
【００１２】
本発明の請求項７記載の冷蔵庫は、請求項１ないし６の何れか１項記載の冷蔵庫において、冷媒が二酸化炭素であることを特徴とする。
【００１３】
本発明の請求項８記載の冷蔵庫は、請求項１ないし７の何れか１項記載の冷蔵庫において、冷蔵庫の設置されている部屋の室温を検出する室温センサ（５３）、および、二次冷媒用ポンプを制御する制御装置が設けられ、前記制御装置は、室温センサの検出温度が床暖房停止室温以上になると、二次冷媒用ポンプを停止させる手段を具備していることを特徴とする。
【００１４】
【発明の実施の形態】
次に、本発明における冷蔵庫の実施の第１の形態を図１ないし図５を用いて説明する。図１は本発明にかかる冷蔵庫の実施の第１の形態の概略の説明図である。図２は図１の冷蔵庫の冷媒回路およびブライン回路（二次冷媒の循環回路）の具体例の図である。図３は図２におけるフレーム部冷媒回路および床暖房用パネルを省略した図である。図４は制御装置の入出力図である。図５はブラインポンプの稼働のフローチャートである。なお、図２および図３では、機械室の機器を分かり易く図示するために、各機器が大きく図示されており、野菜室が小さく図示されている。
【００１５】
家庭用冷蔵庫１は、その外郭が断熱箱体２で構成されている。この断熱箱体２の内部空間すなわち庫内は、設定温度の異なる複数の部屋（この実施の形態では４室）に仕切られており、上側から冷蔵室６、冷凍室７、冷凍室８および野菜室９となっている。各室６〜９の前面は開口し、この前面開口は断熱扉（図示せず）で開閉自在に閉じられている。また、野菜室９の奥側は、機械室１１となっている。
【００１６】
機械室１１には、庫内を冷却するための機器、すなわち、コンプレッサ１６、凝縮器１７、凝縮器用送風機１８などが設けられている。コンプレッサ１６および凝縮器１７などは、冷媒配管２１で接続されて冷凍サイクルを構成し、冷凍サイクルの冷媒としては、ＣＯ２　（二酸化炭素）が用いられる。この冷凍サイクルは、図１に図示するように、コンプレッサ１６から、順次、凝縮器１７の上流部分（二次冷媒との熱交換部）１７ａ、下流部分１７ｂ、減圧装置である電動膨張弁２２および蒸発器２３が冷媒配管２１で接続されて、再びコンプレッサ１６に戻っている。そして、蒸発器２３で庫内の空気を冷却している。また、コンプレッサ１６から膨張弁２２までが、冷凍サイクルの高圧側となっている。
【００１７】
熱交換部１７ａのＣＯ２　冷媒の流れる冷媒配管と床暖房用パネル３１（詳細は後述する）用の液状の二次冷媒であるブラインが流れるブライン配管３２とは密着してらせん状に構成され両冷媒体間で熱交換が行われるとともに、その周囲には蓄熱材３４が配置されている。そして、熱交換部１７ａ、ブライン配管３２および蓄熱材３４などで熱交換器２６が構成されている。熱交換器２６内の凝縮器１７の冷媒の流れと二次冷媒の流路であるブライン配管３２のブラインの流れとは対向流となっており、熱交換器２６内において、上流部分１７ａの上流側の冷媒が下流側のブラインと熱交換し、上流部分１７ａの下流側の冷媒が上流側のブラインと熱交換するように構成されている。また、凝縮器１７の下流部分１７ｂは、凝縮器用送風機１８で空冷され、冷媒は室温近くまで低下する。
【００１８】
ところで、図１の冷凍サイクルでは、凝縮器用送風機１８で冷却された冷媒は、直ぐに膨張弁２２に流れているが、実際は、図２に図示するように、凝縮器用送風機１８で冷却された冷媒は、一旦断熱箱体２の左側壁を蛇行し断熱箱体２の上壁を通り、ついで、断熱箱体２の右側壁を蛇行してから再び断熱箱体２の上壁前部を通り、断熱箱体２の前面部分を蛇行しながら下方に行ってから、膨張弁２２に達している。そして、断熱箱体２の前面部分を蛇行している冷媒配管２１が結露防止パイプとなっている。
【００１９】
床暖房用パネル３１は、その内部に二次冷媒の流路であるブライン配管３３が蛇行して配置されており、床暖房用パネル３１のブライン配管３３と機械室１１内のブライン配管３２とはカプラ３６で着脱自在に接続されている。冷蔵庫１の本体には、下部側面（この実施の形態では前面）にカプラ３６を接続するためのカプラ連結部が設けられている。また、機械室１１のブライン配管３２には、ブラインを流すためのブラインポンプ３７が設けられている。この二次冷媒用ポンプであるブラインポンプ３７の上流側のブライン配管３２には、ブラインである水を補充するための二次冷媒タンクとしての注水タンク３８が接続されている。
【００２０】
そして、床暖房用パネル３１には、床暖表示ランプ４４が設けられている。床暖表示ランプ４４への給電は、カプラ３６により冷蔵庫１の本体側から行われ、ブラインポンプ３７が稼働している際に点灯する。
【００２１】
また、図４に図示するように、冷蔵庫１には、制御装置５１が設けられており、この制御装置５１はマイコンなどで構成されている。そして、この制御装置５１には、種々の電気部品が接続されているが、特にブラインポンプ３７の制御のための電気部品として、入力側に、庫内の温度を検出する庫内温度センサ５２、冷蔵庫１の設置されている部屋（たとえば、台所など）の室温を検出する室温センサ５３、カプラ３６が接続されていることを検知する手段であるカップリングセンサ５４、床暖房を行うか否かを選択するための床暖スイッチ５６、および、床暖房用パネル３１付近に人がいるか否かを検知する人感センサ５７などが接続され、一方、出力側に、コンプレッサ１６、ブラインポンプ３７および床暖表示ランプ４４などが接続されている。床暖スイッチ５６は、足で操作するフットスイッチなどで構成され、床暖房を利用したいと思った人がＯＮ側に操作し、床暖房を停止させたいと思った人がＯＦＦ側に操作する。なお、制御装置５１の記憶部（ＲＯＭやＲＡＭなど）には種々の設定値が記憶されるとともに、図示しないタイマを内蔵している。また、制御装置５１は、ブラインポンプ３７の制御以外に種々の制御（たとえば、庫内の温度制御、前述の床暖表示ランプ４４の点灯の制御など）を行っている。
【００２２】
この様に構成されている実施の第１の形態の冷蔵庫１は、コンプレッサ１６が稼働すると、冷媒（ＣＯ２　）はコンプレッサ１６で圧縮されて、ついで、凝縮器１７（上流部分１７ａの熱交換部および下流部分１７ｂの空冷部分）においてブライン配管３２のブラインおよび凝縮器用送風機１８で冷却されて、膨張弁２２を通って、蒸発器２３で蒸発して低温となり、庫内の空気を冷却している。
【００２３】
凝縮器１７において冷媒を冷却した廃熱は、従来外気に放出されていたが、この実施の形態では、台所などでの床暖房に有効利用する。冬場などに床暖房に利用する際には、床暖房用パネル３１のカプラ３６を冷蔵庫１の本体のカプラ連結部に連結し、冷蔵庫１本体のブライン配管３２と床暖房用パネル３１のブライン配管３３とを接続する。ブラインポンプ３７は、コンプレッサ１６が稼働すると略連動して稼働し、熱交換器２６で凝縮器１７の冷媒により暖められたブラインを床暖房用パネル３１に循環させる。この様にして、床暖房用パネル３１は温かくなる。なお、ブラインポンプ３７はコンプレッサ１６と略連動しているが、コンプレッサ１６の停止時から少し遅延して、ブラインポンプ３７は停止する。また、凝縮器用送風機１８の制御方法は種々考えられるが、一般的には、ブラインポンプ３７と同様に、コンプレッサ１６と略連動しているとともに、コンプレッサ１６の停止時には少し遅延して停止する。
【００２４】
そして、夏場などにも、冷房による足元の冷えを防止することができる。また、床暖房が不要な場合には、ブラインポンプ３７は停止している。その際に、床暖房用パネル３１が邪魔になる場合には、カプラ３６を冷蔵庫１の本体から離脱させて、床暖房用パネル３１を取り外し、適宜の場所（たとえば、物置など）に収納することができる。
【００２５】
ところで、冷蔵庫１の冷凍サイクルは、庫内の温度が所望の値となるように制御されており、廃熱が床暖房の加熱には不足していることがある。そこで、床暖スイッチ５６のＯＦＦなどで、床暖房が行われていない際には、冷凍サイクルからの廃熱を蓄熱材３４に蓄熱しておき、床暖房時に、床暖房の加熱が不足すると、蓄熱材３４の熱を利用して、最適な床暖房を行うようにしている。
【００２６】
ブラインポンプ３７の制御のフローを図５のフローチャートに基づいて説明する。
ステップ１において、制御装置５１は、床暖スイッチ５６がＯＮ側に操作されているか否かを判断し、ＯＮの場合にはステップ２に行き、一方、ＯＦＦの場合にはステップ８に行く。そして、ステップ８において、制御装置５１はブラインポンプ３７が稼働している場合には停止させて、ステップ１に戻り、また、ブラインポンプ３７が停止している場合には、停止している状態を維持して、ステップ１に戻り、床暖スイッチ５６がＯＮ側に切り換わるまで待機する。
【００２７】
ステップ２において、制御装置５１は、カップリングセンサ５４により、カプラ３６が接続されているか否かを判定し、接続されていない場合にはステップ８を介して、ステップ１に戻り、カプラ３６が接続されるまで待機する。一方、ステップ２において、制御装置５１が、カプラ３６の接続を確認すると、ステップ３に行く。
【００２８】
ステップ３において、制御装置５１は、室温センサ５３の検出値である室温が、制御装置５１に予め設定されている床暖房停止室温（たとえば、約２５℃）以上か否かを判定し、床暖房停止室温以上の場合にはステップ８に行く。そして、ステップ８において、制御装置５１はブラインポンプ３７が稼働している場合には停止させて、ステップ１に戻り、また、ブラインポンプ３７が停止している場合には、停止している状態を維持して、ステップ１に戻り、室温センサ５３の検出値である室温が床暖房停止室温未満に低下するまで待機する。一方、ステップ３において、制御装置５１が、室温センサ５３の検出した室温が床暖房停止室温未満と判定した場合には、ステップ４に行く。
【００２９】
ステップ４において、制御装置５１は、人感センサ５７が人を検知しているか否かを判定し、人を検知していない場合にはステップ８に行く。そして、ステップ８において、制御装置５１はブラインポンプ３７が稼働している場合には停止させて、ステップ１に戻り、また、ブラインポンプ３７が停止している場合には、停止している状態を維持して、ステップ１に戻り、人感センサ５７が人を検知するまで待機する。一方、ステップ４において、人感センサ５７が人を検知したと、制御装置５１が判断した場合には、ステップ５に行く。
【００３０】
ステップ５において、制御装置５１は、コンプレッサ１６が稼働しているか否かを判定する。コンプレッサ１６の制御方法には種々あるが、一般的には、庫内温度センサ５２の検出値が、制御装置５１に予め設定されている設定庫内温度になるように制御装置５１により制御されている。そのため、コンプレッサ１６の稼働時には、制御装置５１からコンプレッサ１６に稼働信号が出力されており、制御装置５１はコンプレッサ１６が稼働しているか否かを判定することが可能である。そして、コンプレッサ１６が停止していると制御装置５１が判定した場合には、ステップ９に行き、一方、コンプレッサ１６が稼働していると制御装置５１が判定した場合には、ステップ６に行く。
【００３１】
ステップ６において、制御装置５１は、後述のパネル加熱停止時間の計測をリセットし、０とする。そして、ステップ７に行く。
【００３２】
ステップ７において、制御装置５１は、ブラインポンプ３７が停止している場合には稼働させ、また、ブラインポンプ３７が稼働している場合には稼働している状態を維持して、ステップ１に戻る。
【００３３】
一方、前述のように、ステップ５において、コンプレッサ１６が停止していると制御装置５１が判定した場合には、ステップ９に行く。そして、ステップ９において、制御装置５１は、ブラインポンプ３７が稼働している場合には遅延させてから停止させ、また、ブラインポンプ３７が停止している場合には停止している状態を維持して、ステップ１０に行く。
【００３４】
ステップ１０において、制御装置５１は、内蔵しているタイマで、ブラインポンプ３７による床暖房用パネル３１の加熱を停止してからの経過時間であるパネル加熱停止時間を計測する。なお、パネル加熱停止時間の初期設定は略、後述の設定停止時間とする。そして、ステップ１１に行く。ステップ１１において、制御装置５１は、パネル加熱停止時間が、制御装置５１に予め設定されている設定停止時間（たとえば、約１０分）になったか否かを判定し、設定停止時間になっていない場合には、ステップ１に戻り、パネル加熱停止時間が設定停止時間になるのを待つ。一方、ステップ１１において、パネル加熱停止時間が設定停止時間になったと制御装置５１が判断した場合には、ステップ１２に行く。
【００３５】
ステップ１２において、制御装置５１は、パネル加熱停止時間の計測をリセットし、０とする。そして、ステップ１３に行き、制御装置５１はブラインポンプ３７を、制御装置５１に予め設定されている設定加熱時間（たとえば、約１０分）稼働させ、ステップ１に戻る。このステップ１３におけるブラインポンプ３７の稼働により、蓄熱材３４に蓄熱された熱を床暖房用パネル３１の加熱に利用することができる。
【００３６】
この様にして、ブラインポンプ３７は、床暖スイッチ５６がＯＮで、カプラ３６により床暖房用パネル３１が冷蔵庫１の本体に接続され、冷蔵庫１の設置されている部屋の室温が床暖房停止室温未満で、コンプレッサ１６がＯＮで、かつ、人感センサ５７が床暖房用パネル３１付近に人を感知している場合に、稼働し、床暖房用パネル３１に温かいブラインを供給することができる。また、床暖スイッチ５６のＯＦＦ時などの床暖房を行っていない際には、凝縮器１７の廃熱は熱交換部１７ａで蓄熱材３４に蓄熱される。
【００３７】
そして、室温があまり低いと、冷蔵庫１の庫内を冷却するのに要する冷凍サイクルの稼働時間が短くなるとともに、コンプレッサ１６の停止期間が長くなる。そのため、床暖房用パネル３１の冷えている期間が長くなる。そこで、コンプレッサ１６の停止期間が長くなりすぎると、ブラインポンプ３７が所定時間間隔で稼働し、蓄熱材３４で温められたブラインを床暖房用パネル３１に流す。そのため、庫内の冷却に合わせてコンプレッサ１６を稼働しても、ブラインポンプ３７を適宜稼働することにより、床暖房用パネル３１を最適に加熱することができる。また、パネル加熱停止時間の初期設定は略設定停止時間となっており、床暖房開始時に、コンプレッサ１６が稼働していなくても、直ちにブラインポンプ３７が稼働して床暖房用パネル３１を温めることができる。
【００３８】
次に、本発明における冷蔵庫の実施の第２の形態を説明する。図６は本発明にかかる冷蔵庫の実施の第２の形態の概略の説明図である。図７は実施の第２の形態におけるブラインポンプの稼働のフローチャートである。なお、この実施の第２の形態の説明において、前記実施の第１の形態の構成要素に対応する構成要素には同一符号を付して、その詳細な説明は省略する。
【００３９】
実施の第２の形態では、実施の第１の形態で設けられていた蓄熱材３４は設けられておらず、その代わりに、蒸発器２３の周囲に蓄冷材６１が設けられている。この蓄冷材６１は蒸発器２３の冷熱を蓄冷する。また、蓄冷材６１の冷熱を庫内に送風するための庫内ファン６２が設けられている。この庫内ファン６２は制御装置５１で制御されている。すなわち、庫内温度センサ５２の検出値が、制御装置５１に予め設定されている設定庫内温度になるように、制御装置５１が庫内ファン６２の送風量を制御している。さらに、蓄冷材６１の温度を検出する蓄冷温度センサ（図示しない）が設けられている。
【００４０】
実施の第２の形態のブラインポンプ３７の制御のフローを図７のフローチャートに基づいて説明する。
ステップ２１において、制御装置５１は、床暖スイッチ５６がＯＮ側に操作されているか否かを判断し、ＯＮの場合にはステップ２２に行き、一方、ＯＦＦの場合にはステップ２９に行く。そして、ステップ２９において、制御装置５１は、蓄冷温度センサの検出した蓄冷材６１の蓄冷温度が蓄冷設定温度以下か否かを判断し、蓄冷設定温度以下の場合には、ステップ３１に行く。ステップ３１において、ブラインポンプ３７が稼働している場合には停止させて、ステップ２１に戻り、また、ブラインポンプ３７が停止している場合には、停止している状態を維持して、ステップ２１に戻り、床暖スイッチ５６がＯＮ側に切り換わるまで待機する。一方、ステップ２９において、蓄冷設定温度よりも高い場合には、ステップ３０に行く。ステップ３０において、コンプレッサ１６が稼働している場合には稼働している状態を維持して、ステップ３１に行き、また、コンプレッサ１６が停止している場合には、コンプレッサ１６を稼働させて、ステップ３１に行く。そして、前述のステップ３１を介してステップ２１に戻る。
【００４１】
ステップ２２において、制御装置５１は、カップリングセンサ５４により、カプラ３６が接続されているか否かを判定し、接続されていない場合にはステップ２９〜３１を介して、ステップ２１に戻り、カプラ３６が接続されるまで待機する。一方、ステップ２２において、制御装置５１が、カプラ３６の接続を確認すると、ステップ２３に行く。
【００４２】
ステップ２３において、制御装置５１は、室温センサ５３の検出値である室温が、制御装置５１に予め設定されている床暖房停止室温以上か否かを判定し、床暖房停止室温以上の場合にはステップ２９〜３１を介して、ステップ２１に戻り、室温センサ５３の検出値である室温が床暖房停止室温未満に低下するまで待機する。一方、ステップ２３において、制御装置５１が、室温センサ５３の検出した室温が床暖房停止室温未満と判定した場合には、ステップ２４に行く。
【００４３】
ステップ２４において、制御装置５１は、人感センサ５７が人を検知しているか否かを判定し、人を検知していない場合にはステップ２９〜３１を介して、ステップ２１に戻り、人感センサ５７が人を検知するまで待機する。一方、ステップ２４において、人感センサ５７が人を検知したと、制御装置５１が判断した場合には、ステップ２５に行く。
【００４４】
ステップ２５において、制御装置５１は、内蔵しているタイマで、ブラインポンプ３７による床暖房用パネル３１の加熱を停止してからの経過時間であるパネル加熱停止時間を計測する。なお、パネル加熱停止時間の初期設定は略、後述の設定停止時間とする。そして、ステップ２６に行く。
【００４５】
ステップ２６において、制御装置５１は、パネル加熱停止時間が、制御装置５１に予め設定されている設定停止時間（たとえば、約１０分）になったか否かを判定し、設定停止時間になっていない場合には、ステップ２９〜３１を介して、ステップ２１に戻り、パネル加熱停止時間が設定停止時間になるのを待つ。一方、ステップ２６において、パネル加熱停止時間が設定停止時間になったと制御装置５１が判断した場合には、ステップ２７に行く。
【００４６】
ステップ２７において、制御装置５１は、パネル加熱停止時間の計測をリセットし、０とする。そして、ステップ２８に行き、制御装置５１はコンプレッサ１６およびブラインポンプ３７を、制御装置５１に予め設定されている設定加熱時間（たとえば、約１０分）稼働させる。なお、ブラインポンプ３７はコンプレッサ１６に遅延させて停止させる。そして、ステップ２９〜３１を介して、ステップ２１に戻る。
【００４７】
この様にして、ブラインポンプ３７は、床暖スイッチ５６がＯＮで、カプラ３６により床暖房用パネル３１が冷蔵庫１の本体に接続され、冷蔵庫１の設置されている部屋の室温が床暖房停止室温未満で、かつ、人感センサ５７が床暖房用パネル３１付近に人を感知している場合に、略一定時間間隔でコンプレッサ１６とともに稼働し、床暖房用パネル３１に温かいブラインを供給することができる。この床暖房の際に蒸発器２３の冷熱が余分な場合には、その冷熱は蒸発器２３の周囲の蓄冷材６１に蓄冷され、床暖スイッチ５６のＯＦＦ時などの床暖房を行っていない際に利用される。
【００４８】
そして、夏場などの床暖房が長時間停止して、蒸発器２３や蓄冷材６１の温度が上昇すると、コンプレッサ１６が稼働して、蒸発器２３や蓄冷材６１の温度を所定の温度まで低下させる。
この様にして、床暖房に最適な状態で、コンプレッサ１６およびブラインポンプ３７を稼働させ、余った冷熱は蓄冷材６１に蓄冷し、この蓄冷を庫内の冷却に適宜利用している。その結果、庫内の冷却に関係なく、床暖房用パネル３１を最適に加熱することができる。また、パネル加熱停止時間の初期設定は略設定停止時間となっており、床暖房開始時に、コンプレッサ１６が稼働していなくても、直ちにブラインポンプ３７が稼働して床暖房用パネル３１を温めることができる。
【００４９】
次に、本発明における冷蔵庫の実施の第３の形態を説明する。図８は本発明にかかる冷蔵庫の実施の第３の形態の通常運転時の概略の説明図である。図９は実施の第３の形態の蓄熱運転時の概略の説明図である。図１０は実施の第３の形態の放熱運転時の概略の説明図である。図１１は実施の第３の形態におけるブラインポンプの稼働のフローチャートである。なお、この実施の第３の形態の説明において、前記実施の第１の形態の構成要素に対応する構成要素には同一符号を付して、その詳細な説明は省略する。
【００５０】
実施の第３の形態では、実施の第１の形態で設けられていた蓄熱材３４は設けられておらず、その代わりに、機械室１１に蓄熱タンク７１が設けられている。この蓄熱タンク７１に、ブラインの余った熱を蓄熱する。そして、通常運転時には、ブラインポンプ３７から吐出されたブラインは、機械室１１内のブライン配管３２および床暖房用パネル３１内のブライン配管３３を通ってブラインポンプ３７に戻っている。また、ブライン配管３２の熱交換部３２ａは熱交換器２６内に配置され、この熱交換部３２ａで凝縮器１７の熱交換部１７ａと熱交換している。そして、ブラインポンプ３７から熱交換器２６および床暖房用パネル３１を介して再びブラインポンプ３７に戻るブライン配管３２，３３の回路が通常運転用回路となる。
【００５１】
この通常運転用回路には、ブラインポンプ３７と熱交換器２６との間（すなわち、ブラインポンプ３７の下流側）に第１三方弁７２が、また、熱交換器２６と床暖房用パネル３１との間（すなわち、熱交換器２６の下流側）に第２三方弁７３が、さらに、床暖房用パネル３１とブラインポンプ３７との間（すなわち、ブラインポンプ３７の上流側）に第３三方弁７４が各々設けられている。そして、各三方弁７２〜７４から蓄熱タンク７１に向かって分岐路７６〜７８が各々配管され、第１三方弁７２からの第１分岐路７６および第３三方弁７４からの第３分岐路７８は蓄熱タンク７１の下部に、また、第２三方弁７３からの第２分岐路７７は蓄熱タンク７１の上部に接続される。二次冷媒回路の切換手段である三方弁７２〜７４は、メインのブライン配管３２，３３のブラインの流れを分岐路７６〜７８へ切り換えることができるとともに、制御装置５１で制御される。
【００５２】
前述の通常運転時には、図８に図示するように、三方弁７２〜７４は通常運転用回路側に切り換えられ、第１三方弁７２はブラインポンプ３７からのブラインを熱交換器２６に流し、第２三方弁７３は熱交換器２６からのブラインを床暖房用パネル３１に流し、第３三方弁７４は床暖房用パネル３１からのブラインをブラインポンプ３７に流す。この通常運転時には、熱交換器２６で熱交換した熱（すなわち、凝縮器１７の冷媒の熱で温められたブラインの熱）で床暖房用パネル３１を温めることができる。
【００５３】
また、蓄熱運転時には、図９に図示するように、三方弁７２〜７４は蓄熱用回路側に切り換えられ、第１三方弁７２はブラインポンプ３７からのブラインを熱交換器２６に流し、第２三方弁７３は熱交換器２６からのブラインを蓄熱タンク７１に流し、第３三方弁７４は蓄熱タンク７１からのブラインをブラインポンプ３７に流す。この蓄熱運転時には、熱交換器２６で熱交換した熱（すなわち、凝縮器１７の廃熱）を蓄熱タンク７１に蓄熱することができる。
【００５４】
さらに、放熱運転時には、図１０に図示するように、三方弁７２〜７４は放熱用回路側に切り換えられ、第１三方弁７２はブラインポンプ３７からのブラインを蓄熱タンク７１に流し、第２三方弁７３は蓄熱タンク７１からのブラインを床暖房用パネル３１に流し、第３三方弁７４は床暖房用パネル３１からのブラインをブラインポンプ３７に流す。この放熱運転時には、蓄熱タンク７１に蓄熱された熱で床暖房用パネル３１を温めることができる。
【００５５】
実施の第３の形態のブラインポンプ３７の制御のフローを図１１のフローチャートに基づいて説明する。
ステップ４１において、制御装置５１は、床暖スイッチ５６がＯＮ側に操作されているか否かを判断し、ＯＮの場合にはステップ４２に行き、一方、ＯＦＦの場合にはステップ４９に行く。そして、ステップ４９において、制御装置５１は、三方弁７２〜７４を蓄熱用回路側に切り換え、蓄熱運転を開始し、ステップ５０に行く。ステップ５０において、制御装置５１は、コンプレッサ１６が稼働しているか否かを判定する。そして、コンプレッサ１６が停止していると制御装置５１が判定した場合には、ステップ５２に行き、一方、コンプレッサ１６が稼働していると制御装置５１が判定した場合には、ステップ５１に行く。
【００５６】
ステップ５２において、制御装置５１は、ブラインポンプ３７が稼働している場合には遅延させてから停止させ、また、ブラインポンプ３７が停止している場合には停止している状態を維持して、ステップ４１に戻り、ステップ４９〜５２を行いながら、床暖スイッチ５６がＯＮ側に切り換わるまで待機する。
【００５７】
ステップ５１において、制御装置５１は、ブラインポンプ３７が停止している場合には稼働させ、また、ブラインポンプ３７が稼働している場合には稼働している状態を維持して、ステップ４１に戻り、ステップ４９〜５２の蓄熱運転を行いながら、床暖スイッチ５６がＯＮ側に切り換わるまで待機する。
【００５８】
一方、前述のように、ステップ４１において、床暖スイッチ５６がＯＮの場合にはステップ４２に行く。ステップ４２において、制御装置５１は、カップリングセンサ５４により、カプラ３６が接続されているか否かを判定し、接続されていない場合にはステップ４９〜５２を介して、ステップ４１に戻り、蓄熱運転を行いながら、カプラ３６が接続されるまで待機する。一方、ステップ４２において、制御装置５１が、カプラ３６の接続を確認すると、ステップ４３に行く。
【００５９】
ステップ４３において、制御装置５１は、室温センサ５３の検出値である室温が、制御装置５１に予め設定されている床暖房停止室温以上か否かを判定し、床暖房停止室温以上の場合にはステップ４９〜５２を介して、ステップ４１に戻り、蓄熱運転を行いながら、室温センサ５３の検出値である室温が床暖房停止室温未満に低下するまで待機する。一方、ステップ４３において、制御装置５１が、室温センサ５３の検出した室温が床暖房停止室温未満と判定した場合には、ステップ４４に行く。
【００６０】
ステップ４４において、制御装置５１は、人感センサ５７が人を検知しているか否かを判定し、人を検知していない場合にはステップ４９〜５２を介して、ステップ４１に戻り、蓄熱運転を行いながら、人感センサ５７が人を検知するまで待機する。一方、ステップ４４において、人感センサ５７が人を検知したと、制御装置５１が判断した場合には、ステップ４５に行く。
【００６１】
ステップ４５において、制御装置５１は、コンプレッサ１６が稼働しているか否かを判定する。そして、コンプレッサ１６が停止していると制御装置５１が判定した場合には、ステップ５３に行き、一方、コンプレッサ１６が稼働していると制御装置５１が判定した場合には、ステップ４６に行く。
【００６２】
ステップ４６において、制御装置５１は、後述のパネル加熱停止時間の計測をリセットし、０とする。そして、ステップ４７に行く。そして、ステップ４７において、制御装置５１は、三方弁７２〜７４を通常運転用回路側に切り換え、通常運転を開始し、ステップ４８に行く。ステップ４８において、制御装置５１は、ブラインポンプ３７が停止している場合には稼働させ、また、ブラインポンプ３７が稼働している場合には稼働している状態を維持して、ステップ４１に戻る。
【００６３】
一方、前述のように、ステップ４５において、コンプレッサ１６が停止していると制御装置５１が判定した場合には、ステップ５３に行く。そして、ステップ５３において、制御装置５１は、ブラインポンプ３７が稼働している場合には遅延させてから停止させ、また、ブラインポンプ３７が停止している場合には停止している状態を維持して、ステップ５４に行く。
【００６４】
ステップ５４において、制御装置５１は、内蔵しているタイマで、ブラインポンプ３７による床暖房用パネル３１の加熱を停止してからの経過時間であるパネル加熱停止時間を計測する。なお、パネル加熱停止時間の初期設定は略、後述の設定停止時間とする。そして、ステップ５５に行く。ステップ５５において、制御装置５１は、パネル加熱停止時間が、制御装置５１に予め設定されている設定停止時間（たとえば、約１０分）になったか否かを判定し、設定停止時間になっていない場合には、ステップ４１に戻る。一方、ステップ５５において、パネル加熱停止時間が設定停止時間になったと制御装置５１が判断した場合には、ステップ５６に行く。
【００６５】
ステップ５６において、制御装置５１は、パネル加熱停止時間の計測をリセットし、０とする。そして、ステップ５７に行き、制御装置５１は、三方弁７２〜７４を放熱用回路側に切り換え、放熱運転を開始し、ステップ５８に行く。ステップ５８において、制御装置５１はブラインポンプ３７を、制御装置５１に予め設定されている設定加熱時間（たとえば、約１０分）稼働させ、ステップ４１に戻る。このステップ５８におけるブラインポンプ３７の稼働により、蓄熱タンク７１に蓄熱された熱を床暖房用パネル３１の加熱に利用することができる。
【００６６】
この様にして、ブラインポンプ３７は、床暖スイッチ５６がＯＮで、カプラ３６により床暖房用パネル３１が冷蔵庫１の本体に接続され、冷蔵庫１の設置されている部屋の室温が床暖房停止室温未満で、かつ、人感センサ５７が床暖房用パネル３１付近に人を感知している場合に、通常運転になり、コンプレッサ１６の稼働時に、床暖房用パネル３１に温かいブラインを供給することができる。
また、コンプレッサ１６の稼働間隔が長く、床暖房用パネル３１へのブラインの供給の時間間隔が長くなると、放熱運転に切り換わり、蓄熱タンク７１に蓄熱された熱が床暖房用パネル３１に供給される。
さらに、床暖房が行われていない際には、蓄熱運転に切り換わり、凝縮器１７の廃熱を蓄熱タンク７１に蓄熱することができる。
したがって、庫内の冷却に合わせてコンプレッサ１６が稼働していても、三方弁７２〜７４（すなわち、二次冷媒用回路）を適宜切り換えることにより、床暖房用パネル３１を最適に加熱することができる。
【００６７】
前述のように、実施の形態では、冷蔵庫１の凝縮器１７の廃熱を床暖房用パネル３１の加熱に有効利用することができる。床暖房用パネル３１は、ブラインで加熱されており、冷媒配管の様に高圧ではないため、取り扱いが容易である。また、床暖房を行っていない際には、凝縮器１７の廃熱を蓄熱タンク７１に蓄熱することができる。さらに、また、パネル加熱停止時間の初期設定は略設定停止時間となっており、床暖房開始時に、コンプレッサ１６が稼働していなくても、放熱用回路に切り換え、ブラインポンプ３７が稼働して、床暖房用パネル３１を直ちに温めることができる。
【００６８】
前述の様にして、制御装置５１は、（１）コンプレッサの停止後、予め設定されている設定停止時間を経過しても、コンプレッサが再び稼働しない際には、二次冷媒用ポンプを予め設定されている設定加熱時間の間稼働させる手段、（２）コンプレッサに略連動して二次冷媒用ポンプを稼働させる手段すなわち、コンプレッサが稼働すると二次冷媒用ポンプを稼働させるとともに、コンプレッサが停止すると二次冷媒用ポンプを遅延させて停止させる手段、（３）室温センサの検出温度が予め設定されている床暖房停止室温以上になると、二次冷媒用ポンプを停止させる手段、（４）床暖房用パネルが冷蔵庫本体に接続されているか否かを検知する手段、（５）床暖房用パネルが冷蔵庫本体に接続されていない場合には、二次冷媒用ポンプを停止させる手段、（６）二次冷媒用ポンプが稼働している際に床暖表示ランプを点灯させる手段などを具備している。
この様に、制御装置５１は、上記手段以外にも、実行される各作用に対応して各々作用を実行する手段を具備している。また、全ての手段を具備している必要は必ずしもない。
【００６９】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）冷凍サイクルの冷媒は、適宜選択可能である。ただし、ＣＯ２　が最適である。
【００７０】
（２）冷蔵庫１の形式や構造などは適宜選択可能であるが、好ましくは、家庭用であり、その庫内は少なくとも３温度帯（すなわち、冷蔵室、冷凍室および野菜室）に仕切られている。
（３）ブラインは液状の二次冷媒であり、水でも可能である。
（４）冷蔵庫１の本体側のカプラ連結部は、図２に図示するように、冷蔵庫本体の下部の前面に設けられているが、下部の側面（前後面を含む）であればよく、左右側面に設けることも可能である。
【００７１】
（５）蓄熱材は、床暖房用パネルまたは熱交換器の少なくとも一方に設けられるが、不要な放熱を防止するためには、熱交換器に設けられることが好ましい。
（６）減圧装置は、膨張弁２２以外でも可能であり、たとえば、キャピラリーチューブでも可能である。
（７）人感センサは床暖房用パネル付近の人を検知することができるならば、その形式は適宜変更可能である。たとえば、赤外線センサや、床暖房用パネルに設けられる感圧センサなどで構成することが可能である。
【００７２】
（８）制御装置５１に、床暖房を行う期間であるタイマ設定時間を設定し、このタイマ設定時間の間だけ、床暖房（すなわち、床暖スイッチ５６がＯＮの場合と略同じ動作）を行うように制御することも可能である。たとえば、制御装置５１は、タイマ設定時間で決定される床暖開始時間になると、床暖房を開始し、タイマ設定時間で決定される床暖終了時間になると、床暖房を停止させる。
（９）床暖房用パネル３１が冷蔵庫１の本体に接続されていることを検知する手段は、カップリングセンサ５４で構成されているが、他の手段で検知することも可能である。たとえば、床暖房用パネル３１の床暖表示ランプ４４に冷蔵庫１の本体側から電気を供給することより、接続を検知することも可能である。
【００７３】
（１０）床暖房用パネルの加熱間隔を決定する設定停止時間などの各種設定値は適宜変更可能である。
（１１）二次冷媒の切換手段は、三方弁７２〜７４で構成されているが、他の構成の切換手段でも可能である。
（１２）実施の第３の形態において、蓄熱タンク７１の蓄熱温度を検出する蓄熱温度センサを設け、ステップ５７とステップ５８との間に、ステップ５７−１として、蓄熱温度センサの検出した蓄熱温度が、設定蓄熱温度以下の場合には、ブラインポンプ３７を稼働しないで、ステップ４１に戻るように制御することも可能である。なお、蓄熱温度が設定蓄熱温度よりも高い場合には、ステップ５８に行く。
【００７４】
【発明の効果】
本発明によれば、冷蔵庫の冷凍サイクルの高圧側の冷媒と二次冷媒とを熱交換する熱交換器が設けられ、この二次冷媒がポンプにより床暖房用パネルに供給されている。したがって、冷蔵庫の庫内を冷却する際の廃熱で床暖房用パネルを温めることができ、ランニングコストを削減することができる。かつ、冷凍サイクルの冷媒を効率よく冷却することができる。冷蔵庫は一般的に台所に設置されており、台所の床暖房に利用することができる。床暖房用パネルを冷凍サイクルの高圧側の冷媒で加熱すると、この冷媒は高圧であるので配管コストが増大するが、冷媒の熱を二次冷媒で交換しており、取り扱いが容易となる。しかも、床暖房を行っていない際には、凝縮器の廃熱を蓄熱材に蓄熱しており、冷蔵庫の庫内を冷却するのに要する冷熱の量と、床暖房用パネルを加熱するのに要する熱量とに差がある場合にも、蓄熱材の熱を利用して、床暖房用パネルを加熱することができる。その結果、冷蔵庫の庫内を冷却しすぎることを防止することができる。
【００７５】
また、コンプレッサの停止後、設定停止時間を経過しても、コンプレッサが再び稼働しない際には、二次冷媒用ポンプを設定加熱時間の間稼働させて、蓄熱材の熱で床暖房用パネルを加熱しており、床暖房用パネルが加熱されない状態が長期間続くことを極力防止することができる。その結果、快適な床暖房を行うことができる。
【００７６】
そして、蓄冷材で蒸発器の冷媒の冷熱を蓄冷している場合には、床暖房を行っている際に余った冷熱を蓄冷材に蓄冷することができる。
【００７７】
また、凝縮器の廃熱を蓄熱タンクに蓄熱して、この蓄熱された熱を適宜床暖房に利用することができる。
【００７８】
さらに、冷媒が二酸化炭素である場合には、フロン系冷媒よりも、凝縮器における冷媒の温度を上昇させることができ、床暖房用パネルを効率よく温度上昇させることができる。
【００７９】
そして、室温センサの検出温度が床暖房停止室温以上になると、二次冷媒用ポンプを停止させる手段を制御装置が具備している場合には、室温が高くて床暖房が不要な際には、自動的に床暖房を停止させることができる。
【図面の簡単な説明】
【図１】図１は本発明にかかる冷蔵庫の実施の第１の形態の概略の説明図である。
【図２】図２は図１の冷蔵庫の冷媒回路およびブライン回路の具体例の図である。
【図３】図３は図２におけるフレーム部冷媒回路および床暖房用パネルを省略した図である。
【図４】図４は制御装置の入出力図である。
【図５】図５はブラインポンプの稼働のフローチャートである。
【図６】図６は本発明にかかる冷蔵庫の実施の第２の形態の概略の説明図である。
【図７】図７は実施の第２の形態におけるブラインポンプの稼働のフローチャートである。
【図８】図８は本発明にかかる冷蔵庫の実施の第３の形態の通常運転時の概略の説明図である。
【図９】図９は実施の第３の形態の蓄熱運転時の概略の説明図である。
【図１０】図１０は実施の第３の形態の放熱運転時の概略の説明図である。
【図１１】図１１は実施の第３の形態におけるブラインポンプの稼働のフローチャートである。
【符号の説明】
１　冷蔵庫
１６　コンプレッサ
１７　凝縮器
１８　凝縮器用送風機
２１　冷媒配管
２２　膨張弁（減圧装置）
２３　蒸発器
２６　熱交換器
３１　床暖房用パネル
３４　蓄熱材
３７　ブラインポンプ（二次冷媒用ポンプ）
５１　制御装置
５３　室温センサ
６１　蓄冷材
７１　蓄熱タンク
７２　第１三方弁（切換手段）
７３　第２三方弁（切換手段）
７４　第３三方弁（切換手段）
７６　第１分岐路
７７　第２分岐路
７８　第３分岐路
【図１】
2004085101.tif 000003
【図２】
2004085101.tif 000004
【図３】
2004085101.tif 000005
【図４】
2004085101.tif 000006
【図５】
2004085101.tif 000007
【図６】
2004085101.tif 000008
【図７】
2004085101.tif 000009
【図８】
2004085101.tif 000010
【図９】
2004085101.tif 000011
【図１０】
2004085101.tif 000012
【図１１】
2004085101.tif 000013